(57)【要約】【課題】高級感のあるオーナメントを、簡単に、かつ、安価に提供する。【解決手段】オーナメント１において、所定の装飾対象箇所２０に取り付けることが可能な基板１０と、この基板１０の表面１０ａにメタリック調のロゴタイプ２を表示する意匠部分１２とが、個々に適した性状の樹脂材によって一体に成形されている。【選択図】    図２
2004330902.tif 000002
【特許請求の範囲】
【請求項１】
所定の装飾対象箇所に取り付けることが可能な基板と、この基板の表面にメタリック調のロゴタイプを表示する意匠部分とが、個々に適した性状の樹脂材によって一体に成形されているオーナメント。
【請求項２】
請求項１に記載されたオーナメントであって、基板が黒またはそれに類似する色の樹脂材で成形され、意匠部分が金属粉末を添加した樹脂材で成形されているオーナメント。
【請求項３】
請求項１または２に記載されたオーナメントであって、基板と意匠部分とが、これらの樹脂材を一つの金型内に順次射出することで一体に成形されているオーナメント。
【請求項４】
請求項１，２又は３に記載されたオーナメントであって、基板の裏面に、装飾対象箇所の取付け孔に挿入可能な脚部が一体に成形され、この脚部は取付け孔に係止する抜け止め手段を備えているオーナメント。
【請求項５】
請求項４に記載されたオーナメントであって、脚部の抜け止め手段が、装飾対象箇所の取付け孔に対する圧入により、その内周面に係止する突起形状に設定されているオーナメント。
【請求項６】
請求項４に記載されたオーナメントであって、脚部の抜け止め手段が、弾性変形によって装飾対象箇所の取付け孔に係止する爪形状に設定されているオーナメント。
【発明の詳細な説明】
【０００１】
【発明の属する技術分野】
本発明は、オーナメントに関し、特に車両内装部品などに装着され、その表面にブランド名などの文字やマーク、あるいは模様がメタリック調で表示されている形式のオーナメントに関する。
【０００２】
【従来の技術】
従来、オーナメントには種々のタイプがあるが、その意匠性を高めて高級感をもたせたタイプとして、アルミニュームなどによる鋳造製のものがある。そして、文字などのロゴタイプは基板の表面に凸状に成形され、このロゴタイプ表面にメタリックな光沢をもたせ、その他の部分は黒色などに塗装されている。このオーナメントの製造は、まず鋳造を行い、その鋳造品全体に塗装を行った後、ロゴタイプ表面のみを研磨して塗装を除去している。
【０００３】
また、基板の裏面には、オーナメントを所定箇所に取り付けるための脚部が鋳造時に一体に成形されている。この脚部を、オーナメントの取付け箇所に開けられた取付け孔に挿入し、爪付きワッシャなどを用いて抜け止めを行っている。
なお、他の種類のオーナメントとしては、例えば特許文献１に開示されたものが知られている。
【０００４】
【特許文献１】
特開２００１−１８０３９２号公報
【０００５】
【発明が解決しようとする課題】
鋳造製のオーナメントは、高級感をだすために、鋳造後の塗装、研磨による塗装の除去といった複雑な製造工程が必要であり、高価な製品となっている。また、オーナメントを所定箇所に取り付けるとき、爪付きワッシャを使用しているため、作業性が悪い。
本発明は、従来の課題を解決しようとするもので、その一つの目的は、高級感のあるオーナメントを、簡単に、かつ、安価に提供することである。
本発明の他の目的は、オーナメントを所定箇所にワンタッチで取り付けることを可能とすることである。
【０００６】
【課題を解決するための手段】
本発明は、上記の目的を達成するためのもので、以下のように構成されている。
請求項１に記載の発明は、オーナメントにおいて、所定の装飾対象箇所に取り付けることが可能な基板と、この基板の表面にメタリック調のロゴタイプを表示する意匠部分とが、個々に適した性状の樹脂材によって一体に成形されている。
これにより、全体的に高級感のあるオーナメントを、簡単に、かつ、安価につくることができる。
【０００７】
請求項２に記載の発明は、請求項１に記載されたオーナメントであって、基板が黒またはそれに類似する色の樹脂材で成形され、意匠部分が金属粉末を添加した樹脂材で成形されている。
したがって、意匠部分によって基板表面に表示されるメタリック調のロゴタイプの光沢感が高められ、オーナメントの高品質化が可能となる。
【０００８】
請求項３に記載の発明は、請求項１または２に記載されたオーナメントであって、基板と意匠部分とが、これらの樹脂材を一つの金型内に順次射出することで一体に成形されている。
これにより、オーナメントを、いわゆる「多色成形」によって簡単に射出成形できる。
【０００９】
請求項４に記載の発明は、請求項１，２又は３に記載されたオーナメントであって、基板の裏面に、装飾対象箇所の取付け孔に挿入可能な脚部が一体に成形され、この脚部は取付け孔に係止する抜け止め手段を備えている。
これによって、オーナメントの基板を装飾対象箇所にワンタッチで取り付けることができ、かつ、その状態が安定する。
【００１０】
請求項５に記載の発明は、請求項４に記載されたオーナメントであって、脚部の抜け止め手段が、装飾対象箇所の取付け孔に対する圧入により、その内周面に係止する突起形状に設定されている。
この場合、脚部の形状がシンプルとなり、また、その成形も容易となる。
【００１１】
請求項６に記載の発明は、請求項４に記載されたオーナメントであって、脚部の抜け止め手段が、弾性変形によって装飾対象箇所の取付け孔に係止する爪形状に設定されている。
これにより、取付け孔に対する脚部の挿入性がよく、かつ、脚部が係止したときの節度感が高められる。
【００１２】
【発明の実施の形態】
以下、本発明の実施の形態を説明する。
図１は、オーナメントを表した外観斜視図である。図２は、図１のＩＩ−ＩＩ矢視方向の断面図である。図３は、図２の一部を拡大して表した断面図である。これらの図面で示されているオーナメント１は、その表面にメタリック調のロゴタイプ２（文字）が表示されている。そして、このオーナメント１は、主として車両の内装部品における所定の装飾対象箇所に装着される。
【００１３】
オーナメント１は、樹脂材による射出成形品であって、基板１０とロゴタイプ２を構成する意匠部分１２とに大別される。基板１０は、黒色の樹脂材で成形され、意匠部分１２は、アルミニュームなどの金属粉末を添加した樹脂材で成形されている。意匠部分１２を構成している樹脂層は、その表面１２ａを除いた部分が基板１０の樹脂層内に埋まった状態で、互いに一体化されている。意匠部分１２の上面１２ａは、基板１０の表面１０ａに露出してロゴタイプ２を表示している。
【００１４】
アルミニュームなどの粉末を添加した樹脂材からなる意匠部分１２の上面１２ａ（ロゴタイプ２）は、あたかもアルミニュームなどの様な光沢をもっている。また、基板１０の表面１０ａから露出している意匠部分１２の側面１２ｂ、つまりロゴタイプ２の縁取り部分は、基板１０の樹脂層で被われている（図３）。このため、メタリック調のロゴタイプ２が際だって、オーナメント１に高級感をだしている。
【００１５】
基板１０と意匠部分１２とは、これらを成形するための個々の樹脂材を一つの金型内に順次射出するといった、いわゆる「多色成形法」によって一体に成形されている。そして、基板１０の裏面１０ｂには、複数本（３本）の脚部１４が基板１０と一体に成形されている。これらの各脚部１４を、図２で示す装飾対象箇所２０の各取付け孔２２にそれぞれ挿入することにより、この対象箇所２０にオーナメント１を装着することができる。
【００１６】
各脚部１４のうち、例えば基板１０の両端寄りに位置する脚部１４の外周面には、バリ形状の係止片１５が設けられている。この係止片１５は、脚部１４が取付け孔２２に挿入されたときに、この取付け孔２２に圧入された状態となって弾性変形する。したがって、係止片１５が取付け孔２２の内周面に係止し、取付け孔２２に対する脚部１４の抜け止め機能を果たす。
【００１７】
図４は、係止片の変更例を図３と対応させて表した断面図である。この図面で示す係止片１６は、一定の剛性を有する寸法（厚みなど）に設定されている。このため、係止片１６は、脚部１４が取付け孔２２に挿入されたときに、弾性変形することなく、強引に取付け孔２２内に押し込まれて取付け孔２２の内周面に係止する。これにより、脚部１４が取付け孔２２に挿入されたときの節度感が得られる。
【００１８】
図５は、係止片の変更例を図２と対応させて表した断面図である。この図面で示す係止片１７は、脚部１４に対して撓むことができるように形成された爪形状に設定されている。取付け孔２２に対する脚部１４の挿入により、係止片１７が撓みながら取付け孔２２を通過し、この取付け孔２２を抜け出たところで元の状態に戻り、取付け孔２２の縁に係止する。これにより、取付け孔２２に対する脚部１４の抜け止め機能を果たす。そして、爪形状の係止片１７は、取付け孔２２に対する脚部１４の挿入性がよく、かつ、係止状態の保持力が高い。また、係止片１７は、係止片１５，１６と比較して経年劣化も少ない。
【００１９】
図６は、脚部の変更例を図２と対応させて表した断面図である。この図面で示す脚部のうち、中央に位置する脚部１４は先の場合と同形状であるが、基板１０の両端寄りに位置する脚部１１４は、その軸線が真っ直ぐではなく、部分的に偏倚させている。このことにより、脚部１１４の外周に、係止面１１５が構成されている。そこで、取付け孔２２に脚部１１４を挿入すると、この脚部１１４の偏倚部位が僅かに弾性変形しながら取付け孔２２を通過し、この取付け孔２２を抜け出たところで係止面１１５が取付け孔２２の縁に係止する。これによって、取付け孔２２に対する脚部１４の抜け止め機能を果たす。しかも、この脚部１１４は、その形状がシンプルであり、かつ、経年劣化も少ない。
なお、以上説明した実施の形態において、脚部１４の係止片１５，１６，１７、あるいは、脚部１１４の係止面１１５が、本発明における「抜け止め手段」に対応している。
【図面の簡単な説明】
【図１】オーナメントを表した外観斜視図
【図２】図１のＩＩ−ＩＩ矢視方向の断面図
【図３】図２の一部を拡大して表した断面図
【図４】係止片の変更例を図３と対応させて表した断面図
【図５】係止片の変更例を図２と対応させて表した断面図
【図６】脚部の変更例を図２と対応させて表した断面図
【符号の説明】
１        オーナメント
２        ロゴタイプ
１０    基板
１０ａ            表面
１２    意匠部分
１４    各脚部
２０    装飾対象箇所
１１４            脚部
【図１】
2004330902.tif 000003
【図２】
2004330902.tif 000004
【図３】
2004330902.tif 000005
【図４】
2004330902.tif 000006
【図５】
2004330902.tif 000007
【図６】
2004330902.tif 000008